(57)【要約】  本開示は、高周波帯域での使用が可能になるコモンモードノイズフィルタを提供することを目的とする。本開示のコモンモードノイズフィルタは、第１の絶縁体層（１１ａ）〜第５の絶縁体層（１１ｅ）と、上下方向に積層された第１の絶縁体層（１１ａ）〜第５の絶縁体層（１１ｅ）を備えた積層体（１２）と、を有する。また、積層体（１２）の内部に形成され第１の絶縁体層（１１ａ）を介して対向する第１の渦巻状導体（１４）、第２の渦巻状導体（１５）を有する。さらに、第１の渦巻状導体（１４）の内側端に接続される第１パッド部（２５）と、第２の渦巻状導体（１５）の内側端に接続される第２パッド部（２６）とを有する。第１パッド部（２５）、第２パッド部（２６）と第１の渦巻状導体（１４）、第２の渦巻状導体（１５）とが上面視で重ならない。
2020110692.tif 000002
【特許請求の範囲】
【請求項１】
主面と、裏面とを有する第１の絶縁体層と、
前記第１の絶縁体層の前記裏面に接して配置された第１の導体と、
前記第１の絶縁体層の前記主面に接して配置された第２の導体と、を備え、
前記第１の導体は、前記主面が面する方向からみて少なくとも一部が前記第２の導体と重なる位置に配置されかつ渦巻き形状をなす第１の渦巻本体部と、前記裏面において前記主面が面する前記方向からみて前記第１の渦巻本体部の内側に配置された第１パッド部と、前記裏面において前記第１の渦巻本体部と前記第１パッド部とを接続する第１の接続部と、を備え、
前記第２の導体は、前記主面が面する前記方向からみて少なくとも一部が前記第１の導体と重なる位置に配置されかつ渦巻き形状をなす第２の渦巻本体部と、前記主面において前記主面が面する前記方向からみて前記第２の渦巻本体部の内側に配置された第２パッド部と、前記主面において前記第２の渦巻本体部と前記第２パッド部とを接続する第２の接続部と、を備え、
前記主面が面する前記方向からみて、前記第１パッド部は、前記第２の渦巻状導体と重ならない位置に配置された、コモンモードノイズフィルタ。
【請求項２】
前記主面が面する前記方向からみて、前記第２パッド部は、前記第１の渦巻状導体と重ならない位置に配置された、請求項１に記載のコモンモードノイズフィルタ。
【請求項３】
第１の接続部は、一対の側縁を有し、
前記第２パッド部は前記主面が面する前記方向からみて、前記第１の渦巻状導体と重ならない部分と、前記第１の接続部と重なる部分と、を有し、
前記主面が面する前記方向からみて、前記第２パッド部の前記第１の接続部と重なる前記部分は、前記第１の接続部の前記一対の側縁の一方と重なり、他方と重ならない、請求項１または２に記載のコモンモードノイズフィルタ。
【請求項４】
第２の接続部は、一対の側縁を有し、
前記第１パッド部は、前記主面が面する方向からみて前記第２の渦巻状導体と重ならない部分と、前記第２の接続部と重なる部分と、を有し、
前記主面が面する方向からみて、前記第１パッド部と前記第２の接続部とが重なる前記第１パッド部の前記部分は、前記第２の接続部の前記一対の前記側縁の一方と重なり、他方と重ならない、請求項１〜３のいずれか１項に記載のコモンモードノイズフィルタ。
【請求項５】
前記第１の絶縁体層の前記裏面上において前記第１の渦巻本体部を覆う第２の絶縁体層と、
前記第１の絶縁体層の前記主面上において前記第２の渦巻本体部を覆う第３の絶縁体層と、
前記第２の絶縁体層の裏面に接して配置され、一端が前記第１のパッド部に接続された第１の引出導体と、
前記第３の絶縁体層の主面に接して配置され、一端が前記第２のパッド部に接続された第２の引出導体と、を備え、
前記第１の引出導体は、前記第１の絶縁体層の前記主面が面する方向からみて前記第２の引出導体と重ならない、請求項１〜４のいずれか１項に記載のコモンモードノイズフィルタ。
【請求項６】
前記第１の絶縁体層を貫通する磁芯部をさらに備え、
前記磁芯部は、前記第１の絶縁体層の前記主面が面する方向からみて、前記第１の渦巻本体部状の内側に、前記第１および第２パッド部と接することなく配されている、請求項１〜５のいずれか１項に記載のコモンモードノイズフィルタ。
【請求項７】
前記第１の絶縁体層の前記主面が面する方向からみて、前記第１パッド部および前記第２パッド部を横切り、かつ前記第１の渦巻状導体の前記渦巻き形状の内周側の２点を結ぶ線分のうち最も短い第１の線分の長さは、前記第１の線分に平行で、前記磁芯部を横切りかつ前記第１の渦巻状導体の前記渦巻き形状の内周側の２点を結ぶ線分のうち、最も短い第２の線分の長さよりも短い、請求項６に記載のコモンモードノイズフィルタ。
【請求項８】
前記第１の渦巻状導体は、前記第１の渦巻本体部に直線状部分と曲線状部分とを有し、
前記第２の渦巻状導体は、前記第２の渦巻本体部に直線状部分と曲線状部分とを有する、請求項１〜７のいずれか１項に記載のコモンモードノイズフィルタ。
【請求項９】
前記第１の引出導体は、前記第１の絶縁体層の前記主面が面する方向からみて、前記第１の渦巻状導体の前記直線状部分と重なる部分を有し、
前記第２の引出導体は、前記第１の絶縁体層の前記主面が面する方向からみて、前記第２の渦巻状導体の前記直線状部分と重なる部分を有する、請求項８に記載のコモンモードノイズフィルタ。
【請求項１０】
前記第１の渦巻本体部の外側と接続される第３の引出導体と、前記第２の渦巻本体部の外側と接続される第４の引出導体と、
前記第１の渦巻本体部の前記外側と第３の引出導体を接続する第１引出部と、前記第２の渦巻本体部の前記外側と第４の引出導体を接続する第２引出部と、を備え、
前記第１引出部は、前記第１の絶縁体層の前記主面が面する方向からみて、前記第２引出部と重ならない、請求項１〜９のいずれか１項に記載のコモンモードノイズフィルタ。
【請求項１１】
前記第１パッド部と前記第２パッド部とは、前記第１の絶縁体層の前記主面が面する方向からみて、互いに重ならない、請求項１〜１０のいずれか１項に記載のコモンモードノイズフィルタ。
【発明の詳細な説明】
【技術分野】
【０００１】
本開示は、デジタル機器やＡＶ（映像音響）機器、情報通信端末等の各種電子機器に使用されるコモンモードノイズフィルタに関する。
【背景技術】
【０００２】
従来のこの種のコモンモードノイズフィルタは、図６に示すように、絶縁層１ａ〜絶縁層１ｄのそれぞれの上面に導体２〜導体５を設けていた。そして導体２の一端部に形成されたパッド部２ａと導体３の一端部に形成されたパッド部３ａとをビア電極６ａを介して接続して、コイル７を形成していた。それとともに、導体４の一端部に形成されたパッド部４ａと導体５の一端部に形成されたパッド部５ａとをビア電極６ｂを介して接続して、コイル８を形成していた。さらに、導体３および導体４を渦巻き状にするとともに、導体２〜導体５の他端部をそれぞれ外部電極（以下、図示せず）と接続させていた。【０００３】
なお、本開示に関連する先行技術文献としては、例えば、特許文献１が知られている。
【先行技術文献】
【特許文献】
【０００４】
【特許文献１】特開２００１−６０５１４号公報
【発明の概要】
【０００５】
上記した従来のコモンモードノイズフィルタにおいては、パッド部２ａ〜パッド部５ａが上面視にて重なり、さらに、ビア電極６ａ、ビア電極６ｂと接続する。そのため、パッド部３ａとパッド部４ａの幅あるいは径は、差動信号を伝送しかつ磁気結合しているコイル７とコイル８の線幅より広くなっている。このため、パッド部２ａ〜パッド部５ａとの間で大きな浮遊容量が発生し、これにより、高周波帯域では差動信号の不整合が生じ挿入損失が増加するため、高周波帯域での使用が困難になるという問題を有していた。
【０００６】
本開示は上記従来の問題を解決し、高周波帯域での使用が可能なコモンモードノイズフィルタを提供することを目的とする。
【０００７】
本開示のコモンモードノイズフィルタは、第１の絶縁体層と、第１の導体と、第２の導体と、を備える。第１の絶縁体層は、主面と、裏面とを有する。第１の導体は、第１の絶縁体層の裏面に接して配置される。第２の導体は、第１の絶縁体層の主面に接して配置される。第１の導体は、第１の渦巻本体部と、第１パッド部と、第１の接続部と、を備える。第１の渦巻本体部は、第１の絶縁体層の主面が面する方向からみて少なくとも一部が第２の導体と重なる位置に配置される。また、第１の渦巻本体部は、渦巻き形状をなす。第１パッド部は、第１の絶縁体層の裏面において第１の渦巻本体部の内側に配置されている。第１の接続部は、一対の側縁を有する。また、第１の接続部は、第１の絶縁体層の裏面において第１の渦巻本体部と第１パッド部とを接続する。第２の導体は、第２の渦巻本体部と、第２パッド部と、第２の接続部と、を備える。第２の渦巻本体部は、第１の絶縁体層の主面が面する方向からみて少なくとも一部が第１の導体と重なる位置に配置される。また、第２の渦巻本体部は、渦巻き形状をなす。第２パッド部は、第１の絶縁体層の主面において第２の渦巻本体部の内側に配置されている。第２の接続部は、一対の側縁を有する。また、第２の接続部は、第１の絶縁体層の主面において第２の渦巻本体部と第２パッド部とを接続する。そして、第１の絶縁体層主面が面する方向からみて、第１パッド部は、第２の渦巻状導体と重ならない位置に配置されている。
【０００８】
本開示のコモンモードノイズフィルタは、第１パッド部、第２パッド部と第１の渦巻状導体、第２の渦巻状導体とが上面視で重ならないように配置されているため、第１、第２パッド部と第１、第２の渦巻状導体との間の浮遊容量を低減させることができる。これにより、高周波帯域で差動信号の不整合が生じて挿入損失が増加するのを抑えることができるため、高周波帯域での使用が可能になるという効果を奏する。
【図面の簡単な説明】
【０００９】
【図１】本開示の一実施の形態におけるコモンモードノイズフィルタの概略を示す分解斜視図
【図２】同コモンモードノイズフィルタの概略を示す断面図
【図３】同コモンモードノイズフィルタの斜視図
【図４】同コモンモードノイズフィルタの主要部の上面図
【図５】同コモンモードノイズフィルタの主要部の上面図
【図６】従来のコモンモードノイズフィルタの分解斜視図
【発明を実施するための形態】
【００１０】
本開示の態様に係るコモンモードノイズフィルタについて説明する。
【００１１】
第１の態様に係るコモンモードノイズフィルタは、第１の絶縁体層と、第１の導体と、第２の導体と、を備える。第１の絶縁体層は、主面と、裏面とを有する。第１の導体は、第１の絶縁体層の裏面に接して配置される。第２の導体は、第１の絶縁体層の主面に接して配置される。第１の導体は、第１の渦巻本体部と、第１パッド部と、第１の接続部と、を備える。第１の渦巻本体部は、第１の絶縁体層の主面が面する方向からみて少なくとも一部が第２の導体と重なる位置に配置される。また、第１の渦巻本体部は、渦巻き形状をなす。第１パッド部は、第１の絶縁体層の裏面において第１の渦巻本体部の内側に配置されている。また、第１の接続部は、第１の絶縁体層の裏面において第１の渦巻本体部と第１パッド部とを接続する。第２の導体は、第２の渦巻本体部と、第２パッド部と、第２の接続部と、を備える。第２の渦巻本体部は、第１の絶縁体層の主面が面する方向からみて少なくとも一部が第１の導体と重なる位置に配置される。また、第２の渦巻本体部は、渦巻き形状をなす。第２パッド部は、第１の絶縁体層の主面において第２の渦巻本体部の内側に配置されている。第２の接続部は、一対の側縁を有する。また、第２の接続部は、第１の絶縁体層の主面において第２の渦巻本体部と第２パッド部とを接続する。そして、第１の絶縁体層主面が面する方向からみて、第１パッド部は、第２の渦巻状導体と重ならない位置に配置されている。
【００１２】
第２の態様に係るコモンモードノイズフィルタは、第１の態様において、第１の絶縁体層の主面が面する方向からみて、第２パッド部が第１の渦巻状導体とは重ならない位置に配置されている。
【００１３】
第３の態様に係るコモンモードノイズフィルタは、第１または第２の態様において、第１の接続部は一対の側縁を有する。また、第２パッド部が、第１の絶縁体層の主面が面する方向からみて第１の渦巻状導体と重ならない部分と、第１の接続部と重なる部分と、を有する。さらに第１の絶縁体層の主面が面する方向からみて、第２パッド部と第１の接続部とが重なる部分は、第１の接続部の一対の側縁の一方と重なり、他方と重ならない。
【００１４】
第４の態様に係るコモンモードノイズフィルタは、第１〜第３のいずれかの態様において、第２の接続部は一対の側縁を有する。また、第１パッド部が、第１の絶縁体層の主面が面する方向からみて第２の渦巻状導体と重ならない部分と、第２の接続部と重なる部分と、を有する。さらに、第１の絶縁体層の主面が面する方向からみて、第１パッド部と第２の接続部とが重なる部分は、第２の接続部の一対の側縁の一方と重なり、他方と重ならない。
【００１５】
第５の態様に係るコモンモードノイズフィルタは、第１〜第４のいずれかの態様において、第２の絶縁体層と、第３の絶縁体層と、第１の引出導体と、第２の引出導体と、を備える。第２の絶縁体層は、第１の絶縁体層の裏面上において第１の渦巻本体部を覆う。第３の絶縁体層は、第１の絶縁体層の主面上において第２の渦巻本体部を覆う。第１の引出導体は、第２の絶縁体層の裏面に接して配置される。また、第１の引出導体の一端が第１のパッド部に接続される。第２の引出導体は、第３の絶縁体層の主面に接して配置される。また、第２の引出導体の一端が第２のパッド部に接続される。第１の引出導体は、第１の絶縁体層の主面からみて第２の引出導体と重ならない。
【００１６】
第６の態様に係るコモンモードノイズフィルタは、第１〜第５のいずれかの態様において、第１の絶縁体層を貫通する磁芯部を備える。磁芯部は、第１の絶縁体層の主面が面する方向からみて、第１の渦巻本体部状の内側に、第１パッド部および第２パッド部と接することなく配置されている。
【００１７】
第７の態様に係るコモンモードノイズフィルタは、第１〜第６のいずれかの態様において、以下の特徴を有する。すなわち、第１の絶縁体層の主面が面する方向からみて、第１パッド部および第２パッド部を横切り、かつ第１の渦巻状導体の渦巻き形状の内周側の２点を結ぶ線分のうち、最も短い第１の線分の長さをｗ１とする。第１の線分に平行で、磁芯部を横切り、かつ第１の渦巻状導体の、渦巻き形状の内周側の２点を結ぶ線分のうち、最も短い第２の線分の長さをｗ２とする。そのとき、ｗ１＜ｗ２である。
【００１８】
第８の態様に係るコモンモードノイズフィルタは、第１〜第７のいずれかの態様において、第１の渦巻状導体は、第１の渦巻本体部に直線状部分と曲線状部分とを有する。さらに、第２の渦巻状導体は、第２の渦巻本体部に直線状部分と曲線状部分とを有する。
【００１９】
第９の態様に係るコモンモードノイズフィルタは、第８の態様において、第１の引出導体は、第１の絶縁体層の主面が面する方向からみて、第１の渦巻状導体の直線状部分と重なる部分を有する。第２の引出導体は、第１の絶縁体層の主面が面する方向からみて、第２の渦巻状導体の直線状部分と重なる部分を有する。
【００２０】
第１０の態様に係るコモンモードノイズフィルタは、第１〜第９のいずれかの態様において、第１の渦巻本体部の外側と接続される第３の引出導体を備える。また、当該コモンモードノイズフィルタは、第２の渦巻本体部の外側と接続される第４の引出導体を備える。当該コモンモードノイズフィルタは、第１の渦巻本体部の外側と第３の引出導体を接続する第１引出部を備える。また、当該コモンモードノイズフィルタは、第２の渦巻本体部の外側と第４の引出導体を接続する第２引出部を有する。第１引出部は、第１の絶縁体層の主面が面する方向からみて、第２引出部と重ならない。
【００２１】
第１１の態様に係るコモンモードノイズフィルタは、第１〜第１０のいずれかの態様において、第１パッド部と第２パッド部とは、第１の絶縁体層の主面が面する方向からみて互いに重ならない。
【００２２】
以下、本開示の一実施の形態について、以下に説明する。なお、本開示に係るコモンモードノイズフィルタの大きさおよびそれを構成する各層の材料や大きさはあくまで一例であって、本開示に係るコモンモードノイズフィルタの技術範囲は開示された値や材料に限定されるものではない。
【００２３】
（一実施の形態）
図１は本開示に係る一実施の形態におけるコモンモードノイズフィルタの分解斜視図である。図２は、本開示に係る一実施の形態におけるコモンモードノイズフィルタの断面図である。また、図３は本開示に係る一実施の形態におけるコモンモードノイズフィルタの斜視図である。
【００２４】
本開示の一実施の形態におけるコモンモードノイズフィルタは、図３に示すように積層体１２と、積層体１２の外部に形成された第１の外部電極１３ａ〜第４の外部電極１３ｄとを備える。積層体１２は、図１および図２に示すように、上下方向に積層された第１の絶縁体層１１ａ〜第５の絶縁体層１１ｅを備えている。積層体１２は、さらに内部に形成された第１の渦巻状導体１４、第２の渦巻状導体１５、第１の引出導体１６〜第４の引出導体１９、第１のコイル２０および第２のコイル２１を備えている。第１のコイル２０は、第１の引出導体１６、第１の渦巻状導体１４および第３の引出導体１８を接続して設けられている。第２のコイル２１は、第２、第４の引出導体１７、第２の渦巻状導体１５および第４の引出導体１９を接続して設けられている。
【００２５】
なお、図１において、積層体１２の長辺方向をＸ軸、短辺方向Ｙ軸とし、第１の絶縁体層１１ａ〜第５の絶縁体層１１ｅが積層される方向をＺ軸とする。
【００２６】
ここで、コモンモードノイズフィルタの大きさは、縦（Ｘ方向）２ｍｍ、横（Ｙ方向）１．５ｍｍ、高さ（Ｚ方向）１．５ｍｍである。なお、第１の絶縁体層１１ａ〜第５の絶縁体層１１ｅの層厚は、それぞれ６０μｍである。
【００２７】
第１の渦巻状導体１４と第２の渦巻状導体１５とは、第１の絶縁体層１１ａを介して対向している。第１の絶縁体層１１ａは、主面（上面）と、主面と反対側に裏面（下面）とを有している。第２の渦巻状導体１５は、第１の絶縁体層１１ａの主面に接して配置されている。第１の渦巻状導体１４は、第１の絶縁体層１１ａの裏面に接して配置されている。第１の外部電極１３ａと、第１の引出導体１６の一端部１６ａとが接続されている。第３の外部電極１３ｃと、第２の引出導体１７の一端部１７ａとが接続されている。第２の外部電極１３ｂと、第３の引出導体１８の一端部１８ａとが接続されている。第４の外部電極１３ｄと、第４の引出導体１９の一端部１９ａとがそれぞれ接続されている。
【００２８】
上記構成において、第４の絶縁体層１１ｄはＣｕ−Ｎｉ−Ｚｎフェライト等の磁性材料、またはＣｕ−Ｚｎフェライト、ガラスセラミック等の非磁性材料によりシート状に構成され、かつ絶縁性を有している。
【００２９】
また、第１の引出導体１６および第３の引出導体１８は、第４の絶縁体層１１ｄの上面に銀等の導電材料をめっきまたは印刷することにより形成されている。なお、この第１の引出導体１６および第３の引出導体１８は、それぞれ第４の絶縁体層１１ｄの異なる方向に引き出されている。第１の引出導体１６の一端部１６ａと第１の外部電極１３ａとが接続され、第３の引出導体１８の一端部１８ａと第２の外部電極１３ｂとが接続される。
【００３０】
そして、第２の絶縁体層１１ｂは、Ｃｕ−Ｚｎフェライト、ガラスセラミック等の非磁性材料によりシート状に構成され、絶縁性を有し、かつ第１の引出導体１６および第３の引出導体１８の上面に設けられている。また、この第２の絶縁体層１１ｂは第１のビア電極２２ａおよび第２のビア電極２２ｂを有する。
【００３１】
ここで、第１の引出導体１６と第１のビア電極２２ａとが接続されている。また、第３の引出導体１８と第２のビア電極２２ｂとが接続されている。
【００３２】
さらに、第１の渦巻状導体１４は、渦巻状に銀等の導電材料をめっきまたは印刷することにより形成される。第１の渦巻状導体１４は、第２の絶縁体層１１ｂの上面に設けられている。さらに、第１の渦巻状導体１４の一端部（内側端）すなわち渦巻きの中心部側の部分は、第１のビア電極２２ａと接続される。これにより、第１の渦巻状導体１４は、第１のビア電極２２ａを介して第１の引出導体１６と電気的に接続される。
【００３３】
そして、この第１の渦巻状導体１４の他端部（外側端）は、第２のビア電極２２ｂと接続される。これにより、第１の渦巻状導体１４は、第２のビア電極２２ｂを介して第３の引出導体１８と電気的に接続される。
【００３４】
この構成により、第１の渦巻状導体１４と、これに接続された第１の引出導体１６および第３の引出導体１８とからなる第１のコイル２０が形成される。
【００３５】
さらに、第４の絶縁体層１１ｄ上には、第１の渦巻状導体１４と接続される第１の引出導体１６および第３の引出導体１８が存在する。これにより、第１の渦巻状導体１４は第１の引出導体１６を介して第１の外部電極１３ａと電気的に接続される。また、第１の渦巻状導体１４は第３の引出導体１８を介して第２の外部電極１３ｂと電気的に接続される。
【００３６】
なお、第３の引出導体１８を、第２の絶縁体層１１ｂに形成してもよい。この場合は第２のビア電極２２ｂが不要となる。
【００３７】
また、第１の絶縁体層１１ａは、Ｃｕ−Ｚｎフェライト、ガラスセラミック等の非磁性材料によりシート状に構成され、絶縁性を有し、かつ第１の渦巻状導体１４の上面に設けられている。
【００３８】
さらに、第２の渦巻状導体１５は、渦巻状に銀等の導電材料をめっきまたは印刷することにより形成され、かつ第１の絶縁体層１１ａの上面に設けられている。また、この第２の渦巻状導体１５は、第１の渦巻状導体１４と第１の絶縁体層１１ａを介して第１の絶縁体層１１ａの上面の上方（第１の絶縁体層１１ａからみて主面が面する方向、すなわちＺ軸の正の方向）から眺めたときに重なるように対向し、両者が磁気結合するようになっている。以下、第１の絶縁体層１１ａの上面の上方から眺めることを「上面視」という。
【００３９】
第３の絶縁体層１１ｃは、Ｃｕ−Ｚｎフェライト、ガラスセラミック等の非磁性材料によりシート状に構成され、絶縁性を有し、かつ第２の渦巻状導体１５の上面に設けられている。
【００４０】
また、この第３の絶縁体層１１ｃには第３のビア電極２２ｃおよび第４のビア電極２２ｄが形成されている。第２の渦巻状導体１５の一端部（内側端）すなわち渦巻きの中心部側の部分は、第３のビア電極２２ｃと接続されている。第２の渦巻状導体１５の他端部（外側端）は、第４のビア電極２２ｄと接続されている。
【００４１】
前記第２の引出導体１７および第４の引出導体１９は、銀等の導電材料をめっきまたは印刷することにより形成され、かつ第３の絶縁体層１１ｃの上面に設けられている。なお、この第２の引出導体１７、第４の引出導体１９は、それぞれ第３の絶縁体層１１ｃの異なる方向に引き出されている。
【００４２】
また、この第２の引出導体１７は、第３のビア電極２２ｃと接続される。これにより、第２の引出導体１７は、第３のビア電極２２ｃを介して第２の渦巻状導体１５の内側端と電気的に接続される。そして、第４の引出導体１９は、第４のビア電極２２ｄと接続される。これにより、第４の引出導体１９は、第４のビア電極２２ｄを介して第２の渦巻状導体１５の外側端と電気的に接続される。
【００４３】
この構成により、第２の渦巻状導体１５、第２の引出導体１７および第４の引出導体１９からなる第２のコイル２１が形成される。
【００４４】
さらに、第３の絶縁体層１１ｃ上に、第２の渦巻状導体１５と接続される第２の引出導体１７、第４の引出導体１９が形成される。第２の渦巻状導体１５は、第２の引出導体１７を介して第３の外部電極１３ｃと接続される。また、第２の渦巻状導体１５は、第４の引出導体１９を介して第４の外部電極１３ｄと接続される。
【００４５】
なお、第２の渦巻状導体１５の外側端と接続する第４の引出導体１９を、第１の絶縁体層１１ａに形成してもよい。この場合は第４のビア電極２２ｄが不要となる。
【００４６】
また、第１のビア電極２２ａおよび第２のビア電極２２ｂは、第２の絶縁体層１１ｂを貫通する孔に銀等の導電体を充填することにより構成している。第３のビア電極２２ｃおよび第４のビア電極２２ｄは、第３の絶縁体層１１ｃを貫通する孔に銀等の導電体を充填することにより構成している。
【００４７】
そして、第５の絶縁体層１１ｅは、Ｃｕ−Ｎｉ−Ｚｎフェライト等の磁性材料、またはＣｕ−Ｚｎフェライト、ガラスセラミック等の非磁性材料によりシート状に構成され、絶縁性を有し、かつ第２の引出導体１７および第４の引出導体１９の上面に設けられている。
【００４８】
さらに、第４の絶縁体層１１ｄの下面と第５の絶縁体層１１ｅの上面には、磁性体層１１ｆと非磁性体層１１ｇとを交互に積層したダミー部２３が設けられている。磁性体層１１ｆおよび非磁性体層１１ｇは、シート状に構成され、かつ絶縁性を有している。なお、ダミー部２３は、磁性体層１１ｆのみ、または非磁性体部１１ｇのみで構成してもよい。
【００４９】
また、第１の絶縁体層１１ａ〜第５の絶縁体層１１ｅ、ダミー部２３を構成する層の枚数は、図１に示された枚数に限定されるものではない。
【００５０】
そして、上記したように、第１の絶縁体層１１ａ〜第５の絶縁体層１１ｅおよびダミー部２３を積層することにより積層体１２が構成される。また、この積層体１２の両端面には、第１の外部電極１３ａ〜第４の外部電極１３ｄが設けられる。第１の外部電極１３ａは第１の引出導体１６の一端部１６ａと電気的に接続されている。第２の外部電極１３ｂは第２の引出導体１７の一端部１７ａと電気的に接続されている。第３の外部電極１３ｃは第３の引出導体１８の一端部１８ａと電気的に接続されている。第４の外部電極１３ｄは第４の引出導体１９の一端部１９ａと電気的に接続されている。
【００５１】
なお、第１の絶縁体層１１ａ〜第５の絶縁体層１１ｅには、上面視にて第１の渦巻状導体１４、第２の渦巻状導体１５の内側に対応する部分に貫通孔を設ける。この貫通孔を磁性材料で充填して磁芯部２４を設けて、コモンモードノイズフィルタのコモンモードインピーダンスを高めるようにする。
【００５２】
図４は、各構成の位置関係等を示す概略図である。図４において、第１の渦巻状導体１４、第２の渦巻状導体１５、第１の引出導体１６〜第４の引出導体１９について詳細に説明する。
【００５３】
図４は、第３の絶縁体層１１ｃに存在する第２の引出導体１７および第４の引出導体１９、第１の絶縁体層１１ａに存在する第２の渦巻状導体１５、第２の絶縁体層１１ｂに存在する第１の渦巻状導体１４、第４の絶縁体層１１ｄに存在する第１の引出導体１６および第３の引出導体１８の上面図を上から順に並べたものを表している。
【００５４】
第３の絶縁体層１１ｃの上面には、第２の引出導体１７、第４の引出導体１９、第３の外部電極１３ｃに接続される一端部１７ａ、第４の外部電極１３ｄに接続される一端部１９ａ、第３のビア電極２２ｃ、第３のビア電極２２ｃに接続される他端部１７ｂ、第４のビア電極２２ｄ、第４のビア電極２２ｄに接続される他端部１９ｂが設けられている。第２の引出導体１７の一端部１７ａ、他端部１７ｂは、他の部分より線幅が広くなっている。
【００５５】
第１の絶縁体層１１ａの上面には、第２の渦巻状導体１５が形成される。第２の渦巻状導体１５は、渦巻き状の第２の渦巻本体部１５ａと、その内側端１５ｂと外側端１５ｃとを有する。
【００５６】
内側端１５ｂは第３のビア電極２２ｃを介して第２の引出導体１７の他端部１７ｂと接続される。外側端１５ｃは第４のビア電極２２ｄを介して第４の引出導体１９の他端部１９ｂと接続される。
【００５７】
第２の絶縁体層１１ｂの上面には、第１の渦巻状導体１４が形成され、第１の渦巻状導体１４は、渦巻き状の第１の渦巻本体部１４ａと、その内側端１４ｂと外側端１４ｃを有する。
【００５８】
内側端１４ｂは第１のビア電極２２ａと接続され、外側端１４ｃは第２のビア電極２２ｂと接続される。
【００５９】
第４の絶縁体層１１ｄの上面には、第１の引出導体１６、第１の外部電極１３ａに接続される一端部１６ａ、第３の引出導体１８、第２の外部電極１３ｂに接続される一端部１８ａ、第１のビア電極２２ａに接続される他端部１６ｂ、第２のビア電極２２ｂに接続される他端部１８ｂが形成されている。第１の引出導体１６の一端部１６ａおよび他端部１６ｂは、他の部分より線幅が広くなっている。
【００６０】
第１の渦巻本体部１４ａの内側端１４ｂは、第１のビア電極２２ａを介して第１の引出導体１６の他端部１６ｂと接続される。外側端１４ｃは第２のビア電極２２ｂを介して第３の引出導体１８の他端部１８ｂと接続される。
【００６１】
第１の渦巻状導体１４の第１の渦巻本体部１４ａ、第２の渦巻状導体１５の第２の渦巻本体部１５ａは、上面視で曲線となった曲線状部分と直線状部分とで構成され、曲線状部分を有することによってコイル長を短くできる。これにより、直流抵抗値を低減させることができる。なお、曲線状部分の曲率半径は１５０μｍ〜２５０μｍと比較的大きくしている。
【００６２】
そして、第１の渦巻状導体１４の、第１の引出導体１６と上面視で重なる部分は直線状部分である。第２の渦巻状導体１５の、第２の引出導体１７と上面視で重なる部分は直線状部分である。第１の渦巻状導体１４の、第１の渦巻本体部１４ａの内側端１４ｂの近傍および磁芯部２４近傍における部分は曲線状部分である。第２の渦巻状導体１５の、第２の渦巻本体部１５ａの内側端１５ｂの近傍、磁芯部２４近傍の部分は曲線状部分である。第１の渦巻状導体１４の内側端１４ｂ近傍での曲率半径、および第２の渦巻状導体１５の内側端１５ｂ近傍の曲率半径は、磁芯部２４近傍の曲率半径より小さい。
【００６３】
ここで、第１の渦巻本体部１４ａの内側端１４ｂは第１の接続部１４ｄを介して第１パッド部２５に接続される。第２の渦巻本体部１５ａの内側端１５ｂは第２の接続部１５ｄを介して第２パッド部２６に接続される。第１の渦巻本体部１４ａの外側端１４ｃは第１引出部２７を介して第３パッド部２８に接続される。第２の渦巻本体部１５ａの外側端１５ｃは第２引出部２９を介して第４パッド部３０に接続される。
【００６４】
よって、第１パッド部２５、第３パッド部２８、第１の接続部１４ｄ、第１引出部２７は第１のコイル２０の一部分をなす。第２パッド部２６、第４パッド部３０、第２の接続部１５ｄ、第２引出部２９は第２のコイル２１の一部分をなす。第１パッド部２５、第２パッド部２６、第３パッド部２８および第４パッド部３０の線幅は９０μｍであり、第１の渦巻状導体１４の線幅(１０μｍ)および第２の渦巻状導体１５の線幅（１０μｍｍ）より幅が広くなっている。
【００６５】
磁芯部２４は、上面視で第１の渦巻状導体１４および第２の渦巻状導体１５の内側に設けられる。磁芯部２４は、上面視で第１の渦巻本体部１４ａの内側端１４ｂおよび第２の渦巻本体部１５ａの内側端１５ｂと、第１の渦巻状導体１４および第２の渦巻状導体１５の最内周との間に位置し、かつ磁芯部２４と第１の渦巻本体部１４ａの内側端１４ｂと第２の渦巻本体部１５ａの内側端１５ｂとが第１の方向Ｘに並ぶように位置している。
【００６６】
図５は、第１の渦巻状導体１４、第２の渦巻状導体１５、第１の引出導体１６〜第４の引出導体１９を重ねて上から見た図である。
【００６７】
図５から分かるように、第１パッド部２５および第２パッド部２６は、第１の渦巻状導体１４および第２の渦巻状導体１５と上面視で重ならないように配置されている。
【００６８】
すなわち、第１パッド部２５は第２の渦巻状導体１５のどの部分とも重なっておらず、第２パッド部２６は第１の渦巻状導体１４のどの部分とも重なっていない。なお、第１パッド部２５と第１の渦巻状導体１４とは重なっておらず、第２パッド部２６と第２の渦巻状導体１５とは重なっていない。
【００６９】
また、第１パッド部２５は、上面視で、第２の渦巻状導体１５と重ならない部分と、第２の接続部１５ｄと重なる部分とを有してもよい。このとき、上面視で、第１パッド部２５と第２の接続部１５ｄとが重なる部分は、第２の接続部１５ｄの一対の側縁の一方と重なり、他方と重ならない。第２の接続部１５ｄの一対の側縁とは、第２の接続部１５ｄの線幅方向で対向する線の部分を示す。
【００７０】
同様に、第２パッド部２６は、上面視で、第１の渦巻状導体１４と重ならない部分と、第１の接続部１４ｄと重なる部分とを有してもよい。このとき、上面視で、第２パッド部２６と第１の接続部１４ｄとが重なる部分は、第１の接続部１４ｄの一対の側縁の一方と重なり、他方と重ならない。
【００７１】
そして、第１パッド部２５と第２パッド部２６とは上面視で重なるようにしてもよいが、図５に示すように、第１パッド部２５と第２パッド部２６とが上面視で重ならないようにするのが好ましい。これにより、第１パッド部２５と第２パッド部２６との間の浮遊容量を低減させることができる。
【００７２】
さらに、第３パッド部２８と第４パッド部３０とが上面視で重ならないようにし、第３パッド部２８と第４パッド部３０との間の浮遊容量を低減させる。
【００７３】
また、上面視で第３パッド部２８と第４パッド部３０との間の距離が第１パッド部２５と第２パッド部２６との間の距離より広くなっている。これにより、第３パッド部２８と第４パッド部３０との間の浮遊容量を低減させることができる。なお、第１パッド部２５と第２パッド部２６は、第１の渦巻状導体１４と第２の渦巻状導体１５の内側に位置しているため、第１パッド部２５と第２パッド部２６との距離を広くするのは限界がある。
【００７４】
さらに、第１の引出導体１６と第２の引出導体１７とは上面視で重ならず、第１引出部２７と第２引出部２９とは上面視で重ならない。また、第３の引出導体１８と第４の引出導体１９とは上面視で重ならない。これにより、第１の引出導体１６と第２の引出導体１７との間、第１引出部２７と第２引出部２９との間の浮遊容量を低減させることができる。
【００７５】
そして、第１の渦巻本体部１４ａと第２の渦巻本体部１５ａの直線状部分と第１の引出導体１６および第２の引出導体１７とが上面視で重なる。第１の渦巻本体部１４ａの曲線状部分および第２の渦巻本体部１５ａの曲線状部分と第１の引出導体１６および第２の引出導体１７とは上面視で重ならない。積層時の応力によって曲線状部分に負荷が加わらないようにすることができる。
【００７６】
ここで、第１の方向Ｘと直交する方向Ｙにおいて、上面視で、第１パッド部２５および第２パッド部２６の中心部を横切って、第１の渦巻状導体１４の、渦巻き形状の最も内周側の２点を結ぶ線分のうち、最も短い第１の線分の長さをｗ１とする。また、第１の線分に平行で、磁芯部２４の中心部を横切って、第１の渦巻状導体１４の、渦巻き形状の最も内周側の２点を結ぶ線分のうち、最も短い第２の線分の長さをｗ２とする。そのとき、ｗ１はｗ２よりも短くなっている。すなわち、ｗ１＜ｗ２である。
【００７７】
なお、第１の渦巻本体部１４ａの内側端１４ｂおよび第２の渦巻本体部１５ａの内側端１５ｂはＹ方向に並んでいる。
【００７８】
この構成により、磁芯部２４を形成することができる面積を広くすることができる。上面視で磁芯部２４の面積が広ければ、磁芯部２４内の磁束を増やすことができるため、コモンモードインピーダンスをより高めることができる。
【００７９】
なお、磁芯部２４は、第１パッド部２５および第２パッド部２６と接していない。
【００８０】
また、図５では、第２パッド部２６に向かう第２の渦巻状導体１５の第２の接続部１５ｄは、第１パッド部２５より外側を通っているが、第１パッド部２５と磁芯部２４との間（第１パッド部２５より内側）を通るようにしてもよい。
【００８１】
上記したように本開示の一実施の形態におけるコモンモードノイズフィルタにおいては、第１パッド部２５および第２パッド部２６と第１の渦巻状導体１４および第２の渦巻状導体１５とが上面視で重ならないように配置されている。そのため、第１パッド部２５および第２パッド部２６と第１の渦巻状導体１４および第２の渦巻状導体１５との間の浮遊容量を低減させることができる。これにより、高周波帯域で差動信号の不整合が生じて挿入損失が増加するのを抑制することができるため、高周波帯域での使用が可能になるという効果が得られる。
【産業上の利用可能性】
【００８２】
本開示に係るコモンモードノイズフィルタは、高周波帯域での使用が可能になるという効果を有するものであり、特にデジタル機器やＡＶ機器、情報通信端末等に使用される小形で薄型のコモンモードノイズフィルタ等において有用となるものである。
【符号の説明】
【００８３】
１１ａ〜１１ｅ  第１〜第５の絶縁体部
１２  積層体
１３ａ〜１３ｄ  第１〜第４の外部電極
１４  第１の渦巻状導体
１４ａ  第１の渦巻本体部
１４ｂ、１５ｂ  内側端
１４ｃ、１５ｃ  外側端
１４ｄ  第１の接続部
１５  第２の渦巻状導体
１５ａ  第２の渦巻本体部
１５ｄ  第２の接続部
２０  第１のコイル
２１  第２のコイル
２４  磁芯部
２５  第１パッド部
２６  第２パッド部
【図１】
2020110692.tif 000003
【図２】
2020110692.tif 000004
【図３】
2020110692.tif 000005
【図４】
2020110692.tif 000006
【図５】
2020110692.tif 000007
【図６】
2020110692.tif 000008
【国際調査報告】
2020110692.tif 000009
2020110692.tif 000010
2020110692.tif 000011
2020110692.tif 000012